【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
前記複数の光源の各々の発光輝度に基づいて、前記発光部から発せられる前記第１色の光を合成した合成光の輝度分布である第１輝度分布と、前記発光部から発せられる前記第２色の光を合成した合成光の輝度分布である第２輝度分布とを推定する推定手段と、
前記第１輝度分布と前記第２輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理手段と、
を有することを特徴とする画像表示装置。
【請求項２】
前記変換部材は、前記第１色の光を前記第２色の光に変換する量子ドットを含む
ことを特徴とする請求項１に記載の画像表示装置。
【請求項３】
前記第２色の光の主波長は、前記第１色の光の主波長よりも長い
ことを特徴とする請求項１または２に記載の画像表示装置。
【請求項４】
前記第１色は青色であり、前記第２色は赤色または緑色である
ことを特徴とする請求項１〜３のいずれか１項に記載の画像表示装置。
【請求項５】
前記変換部材は、各光源から発せられた前記第１色の光の一部を前記第２色とは異なる第３色の光に変換して前記第１色の光と前記第２色の光と前記第３色の光とを含む光を出射し、
前記表示部は、前記発光部から出射された、前記第１色の光と前記第２色の光と前記第３色の光とを含む光を、前記画像データに基づいて変調することで、前記画面に前記画像を表示し、
前記推定手段は、前記複数の光源の各々の発光輝度に基づいて、
前記第１輝度分布と、
前記発光部から発せられる前記第２色の光を合成した前記合成光の前記輝度分布であり、かつ、前記発光部から発せられる前記第３色の光を合成した合成光の輝度分布である、前記第２輝度分布と、
を推定する
ことを特徴とする請求項１〜４のいずれか１項に記載の画像表示装置。
【請求項６】
前記第３色の光の主波長は、前記第１色の光の主波長よりも長い
ことを特徴とする請求項５に記載の画像表示装置。
【請求項７】
前記第１色は青色であり、前記第２色は赤色であり、前記第３色は緑色である
ことを特徴とする請求項５または６に記載の画像表示装置。
【請求項８】
前記光源について、当該光源の発光輝度が所定の発光輝度に制御された場合において前記発光部から発せられる前記第１色の光の輝度分布である第１基準分布と、当該光源の発光輝度が前記所定の発光輝度に制御された場合において前記発光部から発せられる前記第２色の光の輝度分布である第２基準分布とが予め定められており、
前記推定手段は、
前記制御手段によって決定された前記複数の光源の各々の発光輝度と、前記第１基準分布とに基づいて、前記第１輝度分布を推定し、
前記制御手段によって決定された前記複数の光源の各々の発光輝度と、前記第２基準分布とに基づいて、前記第２輝度分布を推定する
ことを特徴とする請求項１〜７のいずれか１項に記載の画像表示装置。
【請求項９】
前記推定手段は、
前記複数の光源の各々について、その光源に対して前記制御手段により決定された発光輝度と、前記第１基準分布とに基づいて、当該光源の発光輝度が前記制御手段により決定された発光輝度に制御された場合において前記発光部から発せられる前記第１色の光の輝度分布である第１部分分布を推定し、
前記複数の光源の各々について、その光源に対して前記制御手段により決定された発光輝度と、前記第２基準分布とに基づいて、当該光源の発光輝度が前記制御手段により決定された発光輝度に制御された場合において前記発光部から発せられる前記第２色の光の輝度分布である第２部分分布とを推定し、
前記複数の光源の各々の第１部分分布を合成することにより前記第１輝度分布を推定し、
前記複数の光源の各々の第２部分分布を合成することにより前記第２輝度分布を推定する
ことを特徴とする請求項８に記載の画像表示装置。
【請求項１０】
前記入力画像データの各画素値は、前記第１色に対応する第１階調値と、前記第２色に対応する第２階調値とを含み、
前記画像処理では、前記第１輝度分布に基づいて前記入力画像データの各第１階調値が補正され、前記第２輝度分布に基づいて前記入力画像データの各第２階調値が補正されることを特徴とする請求項１〜９のいずれか１項に記載の画像表示装置。
【請求項１１】
前記入力画像データの各画素値は、前記第１色に対応する第１階調値と、前記第２色に対応する第２階調値とを含み、
前記画像処理では、前記第１輝度分布と前記第２輝度分布とに基づいて前記入力画像データの各第１階調値が補正され、前記第１輝度分布と前記第２輝度分布とに基づいて前記
入力画像データの各第２階調値が補正される
ことを特徴とする請求項１〜９のいずれか１項に記載の画像表示装置。
【請求項１２】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
を有する画像表示装置の制御方法であって、
入力画像データに基づいて前記複数の光源の各々の発光輝度を個別に制御する制御ステップと、
前記複数の光源の各々の発光輝度に基づいて、前記発光部から発せられる前記第１色の光を合成した合成光の輝度分布である第１輝度分布と、前記発光部から発せられる前記第２色の光を合成した合成光の輝度分布である第２輝度分布とを推定する推定ステップと、
前記第１輝度分布と前記第２輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理ステップと、
を有することを特徴とする画像表示装置の制御方法。
【請求項１３】
請求項１２に記載の画像表示装置の制御方法の各ステップをコンピュータに実行させるためのプログラム。
【請求項１４】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
前記複数の光源の各々の発光輝度に基づいて、
前記発光部から発せられる前記第１色の光の輝度分布である第１輝度分布、及び、
前記発光部から発せられる前記第２色の光の輝度分布である第２輝度分布と、前記第１輝度分布との差分である第３輝度分布、
を推定する推定手段と、
前記第１輝度分布と前記第３輝度分布とに基づいて、前記第１輝度分布と前記第２輝度分布の差に起因した前記画面の色ムラを低減する画像処理を前記入力画像データに施し、前記画像処理が施された後の画像データを前記表示部に出力する画像処理手段と、
を有することを特徴とする画像表示装置。
【請求項１５】
各々が第１色の光を発する複数の光源、及び、各光源から発せられた前記第１色の光の一部を第２色の光に変換して前記第１色の光と前記第２色の光とを含む光を出射する変換部材を有する発光部と、
前記発光部から出射された、前記第１色の光と前記第２色の光とを含む光を、画像データに基づいて変調することで、画面に画像を表示する表示部と、
入力画像データに基づいて前記複数の光源の各々の発光輝度を個別に制御する制御手段と、
第１光源の発光輝度が第２光源の発光輝度と異なる場合に、前記第１光源の付近と第２光源の付近との間で前記１色の光と前記第２色の光との輝度比が異なることに起因した前記画面の色ムラを低減する画像処理を前記入力画像データに施し、前記画像処理が施された後の画像データを前記表示部に出力する画像処理手段と、
を有することを特徴とする画像表示装置。
【請求項１６】
前記変換部材は、前記第１色の光を前記第２色の光に変換する量子ドットを含む
ことを特徴とする請求項１５に記載の画像表示装置。
【請求項１７】
前記第２色の光の主波長は、前記第１色の光の主波長よりも長い
ことを特徴とする請求項１５または１６に記載の画像表示装置。
【請求項１８】
前記第１色は青色であり、前記第２色は赤色または緑色である
ことを特徴とする請求項１５〜１７のいずれか１項に記載の画像表示装置。
【請求項１９】
前記変換部材は、各光源から発せられた前記第１色の光の一部を前記第２色とは異なる第３色の光に変換して前記第１色の光と前記第２色の光と前記第３色の光とを含む光を出射し、
前記表示部は、前記発光部から出射された、前記第１色の光と前記第２色の光と前記第３色の光とを含む光を、前記画像データに基づいて変調することで、前記画面に前記画像を表示する
ことを特徴とする請求項１５〜１８のいずれか１項に記載の画像表示装置。
【請求項２０】
前記第３色の光の主波長は、前記第１色の光の主波長よりも長い
ことを特徴とする請求項１９に記載の画像表示装置。
【請求項２１】
前記第１色は青色であり、前記第２色は赤色であり、前記第３色は緑色である
ことを特徴とする請求項１９または２０に記載の画像表示装置。